(57)【要約】  【課題】引出し装置を備えた冷蔵庫に関し、前面板と扉化粧板の隙間を容易に小さくすることができ、また扉化粧板の上下左右の位置規制の精度を向上させることにより、良好な外観を得た冷蔵庫扉を提供すること。  【解決手段】前面板７と、前面板７の側面に延設した扉化粧板固定板１６と、前面板７および扉化粧板固定板１６の上下端面に配置した扉キャップ８、９と、扉内板１０との間に充填された発泡断熱材１４とからなる冷蔵庫の扉体において、前面板７と扉化粧板固定板１６とは接合部を有し、扉化粧板固定板１６の前面に配置する扉化粧板１２は接合部を覆うものであり、扉化粧板１２は発泡圧の影響を受けて変形することがなく、扉表面を構成する扉化粧板１２や前面板等の各部品間の隙や段差を小さくすることができ、冷蔵庫の表面意匠を向上させることができる。【選択図】図５
2006329549.tif 000002
【特許請求の範囲】
【請求項１】
前面板と、前記前面板の側面に延設した扉化粧板固定板と、前記前面板および扉化粧板固定板の上下端面に配置した扉キャップと、扉内板との間に充填された発泡断熱材とからなる冷蔵庫の扉体において、前記前面板と前記扉化粧板固定板とは接合部を有し、前記扉化粧板固定板の前面に配置する扉化粧板は前記接合部を覆うことを特徴とする冷蔵庫扉。
【請求項２】
扉化粧板固定板は前面板を背面から支持するための支持部を設け、前面板と扉化粧板との境界部を略密着させることを特徴とする請求項１に記載の冷蔵庫扉。
【請求項３】
扉化粧板の表面に備える化粧シートは意匠印刷フィルムからなり、扉化粧板の成形時にインサート成形により扉化粧板の外表面のほぼ平坦部分に配置させたことを特徴とする請求項１または２に記載の冷蔵庫扉。
【請求項４】
扉化粧板に設けられたリブと扉化粧板固定板に設けられたリブを上下方向にスライドさせて挿入することにより扉化粧板の前後方向の位置決めをすることを特徴とする請求項１から３のいずれか一項に記載の冷蔵庫扉。
【請求項５】
扉化粧板にリブを、扉化粧板固定板にツメ形状、若しくは扉化粧板にツメ形状を、扉化粧板固定板にリブを設けることにより、扉化粧板固定板に取り付けられた扉化粧板の上下方向の位置決めをすることを特徴とする請求項１から４のいずれか一項に記載の冷蔵庫扉。
【請求項６】
複数の扉に設けられた扉化粧板が、上下一直線上に構成されることを特徴とする請求項１から５のいずれか一項に記載の冷蔵庫扉。
【発明の詳細な説明】
【技術分野】
【０００１】
本発明は、冷蔵庫扉に係り、扉の前面に配置した扉化粧板を設けた扉構成に関するものである。
【背景技術】
【０００２】
近年、表面意匠を重視した冷蔵庫を市場から求められるとともに、冷蔵庫本体の前面開口を閉塞する扉の前面にデザインに重点をおいた化粧パネル部材を設けた冷蔵庫が販売されている。従来、この種の冷蔵庫扉は扉化粧パネル部材を前面板に取付け、冷蔵庫外観の意匠の向上を図っている（例えば、特許文献１参照）。
【０００３】
図９は従来の冷蔵庫扉を示すものである。図９において、冷蔵庫扉１０１は扉前面を形成する前面板１０２の上端の扉キャップ１０３と下端の扉キャップ１０４で閉塞して扉内板（図示せず）との間に断熱材を充填し、その後、扉化粧板１０５を前面板１０２に設けた固定部１０６にビス等で固定される。また扉本体幅よりも短く切断された前面板１０２の側端に扉化粧板１０５２を取付け、上下端の扉キャップ１０３、１０４で閉塞して、扉内板１０との間に断熱材を充填される構成であった。
【特許文献１】特開２００４−３２５０１１号公報
【発明の開示】
【発明が解決しようとする課題】
【０００４】
しかしながら、上記従来の構成では、扉化粧板１０５は、断熱材の充填時における発泡圧により変形を生じる可能性があり、また扉化粧板１０５の前面板１０２への固定が不安定であるため、扉化粧板１０５と前面板１０２との境界部の隙間が大きくなるとともに、各々の前面板１０２は別途取り付けられているため前後左右の段差や間隔が不均一になることにより、外観を損ねることになり、さらに水が浸入しやすくなるためシール材を必要とし、コストアップや組立作業の煩雑化を招くという課題を有していた。
【０００５】
本発明は、前面板と扉化粧板の隙間を容易に小さくすることができ、また扉化粧板の上下左右の位置規制の精度を向上させることにより、良好な外観を得た冷蔵庫扉を提供することを目的とする。
【課題を解決するための手段】
【０００６】
上記従来の課題を解決するために、本発明の冷蔵庫扉は、前面板と、前記前面板の側面に延設した扉化粧板固定板と、前記前面板および扉化粧板固定板の上下端面に配置した扉キャップと、扉内板との間に充填された発泡断熱材とからなる冷蔵庫の扉体において、前記前面板と前記扉化粧板固定板とは接合部を有し、前記扉化粧板固定板の前面に配置する扉化粧板は前記接合部を覆うものである。
【０００７】
これによって、前面板と扉化粧板の隙間を容易に小さくすることができ、また扉化粧板の上下左右の位置決め精度が高まり、良好な外観を備えた冷蔵庫扉を得ることができる。
【発明の効果】
【０００８】
本発明の冷蔵庫扉は、発泡圧等の影響を受けて変形することなく安定した形状が得られるとともに、扉表面を構成する各部品間の隙や段差を小さく均一にすることができ、冷蔵庫の表面意匠を向上させることができる。また外部からの水滴の浸入も防止することができ、コストの低減を図ることもできる。
【発明を実施するための最良の形態】
【０００９】
請求項１に記載の発明は、前面板と、前記前面板の側面に延設した扉化粧板固定板と、前記前面板および扉化粧板固定板の上下端面に配置した扉キャップと、扉内板との間に充填された発泡断熱材とからなる冷蔵庫の扉体において、前記前面板と前記扉化粧板固定板とは接合部を有し、前記扉化粧板固定板の前面に配置する扉化粧板は前記接合部を覆うものであり、扉化粧板は発泡圧の影響を受けて変形することがなく、扉表面を構成する扉化粧板や前面板等の各部品間の隙や段差を小さくすることができ、冷蔵庫の表面意匠を向上させることができる。また外部からの水滴の浸入も防止することができる。
【００１０】
請求項２に記載の発明は、請求項１に記載の発明において、扉化粧板固定板は前面板を背面から支持するための支持部を設け、前面板と扉化粧板との境界部を略密着させるものであり、扉化粧板と前面板との境界部の隙間を低減することができ、優れた扉の外観デザインを得ることができる。
【００１１】
請求項３記載の発明は、請求項１または２に記載の発明において、扉化粧板の表面に備える化粧シートは意匠印刷フィルムからなり、扉化粧板の成形時にインサート成形により扉化粧板の外表面のほぼ平坦部分に配置させたものであり、可能なデザインの選択肢が増え、冷蔵庫扉の意匠的効果が大きくなるとともに、意匠印刷フィルムの交換を行うのみによる複数色の機種展開が可能となる。
【００１２】
請求項４記載の発明は、請求項１から３のいずれか一項に記載の発明において、扉化粧板に設けられたリブと扉化粧板固定板に設けられたリブを上下方向にスライドさせて挿入することにより扉化粧板の前後方向の位置決めをするものであり、扉化粧板と前面板との近接による隙間のさらなる最小化が可能となり隙間のない斬新な外観デザインを得ることができる。
【００１３】
請求項５記載の発明は、請求項１から４のいずれか一項に記載の発明において、扉化粧板にリブを、扉化粧板固定板にツメ形状、若しくは扉化粧板にツメ形状を、扉化粧板固定板にリブを設けることにより、扉化粧板固定板に取り付けられた扉化粧板の上下方向の位置決めをするものであり、部品組立て時の取付け誤差や部品単品のバラツキにより生じる歪みやズレの抑制を図り、段差や隙間のない良好な外観デザインを得ることができる。
【００１４】
請求項６記載の発明は、請求項１から５のいずれか一項に記載の発明において、複数の扉に設けられた扉化粧板が、上下一直線上に構成されるものであり、一般的に上段に位置する冷蔵室に扉化粧板を用いられるが、引出し扉にも扉化粧板を用いることにより、デザインの効果をより大きく発揮することができるため意匠的効果が大きくすることができる。
【００１５】
以下、本発明の実施の形態について、図面を参照しながら説明する。なお、この実施の形態によってこの発明が限定されるものではない。
【００１６】
（実施の形態１）
図１は本発明の実施の形態１における冷蔵庫の正面図、図２は同実施の形態の冷蔵庫の図１のＡ−Ａ線断面図、図３は同実施の形態の冷蔵庫の引出し扉の斜視図、図４は同実施の形態の冷蔵庫の引出し扉の図３の断面図、図５は同実施の形態の冷蔵庫扉の扉化粧板取付け時の右斜視図、図６は同実施の形態の冷蔵庫扉の扉化粧板取付け時の左斜視図、図７は同実施の形態の冷蔵庫扉の扉化粧板取付け時の平面断面図、図８は同実施の形態の冷蔵庫扉の扉化粧板取付け時のＢ−Ｂ線正面断面図である。
【００１７】
図１から図８において、冷蔵庫本体６には温度帯の異なる貯蔵室があり、上部より冷蔵室１、製氷室２、切替室３、野菜室４、冷凍室５を形成している。
【００１８】
冷蔵室１の前面には回転扉を、製氷室２、切替室３、野菜室４、冷凍室５の前面には引出扉を備え、切替室３の引出扉１３は、前面板７と、前面板７の庫内側に配置した扉内板１０と、前面板７の側面に扉化粧板固定板１６を延設し、前面板７および扉化粧板固定板１６の上側の扉キャップ上８と下側の扉キャップ下９との空間に充填された発泡断熱材１４とからなる。扉内板１０の下部両側面には一体で形成されたフレーム１５を設け、そこに食品収納箱を載置し食品等の収納を行っている。
【００１９】
そして、前面板７の側面部はＬ字状に折曲部を有し、扉化粧板固定板１６に一体成形した２本のリブ１１の隙間に前記Ｌ字状折曲部を挟みこんで接合している。そして、扉化粧板固定板１６の前面に配置する扉化粧板１２は前記２本のリブ１１の接合部を覆うように固定されている。
【００２０】
また、扉化粧板固定板１６の端部で前面板７を背面から支持するための支持リブ１７を設け、支持リブ１７の高さは前面板７の側面部のＬ字状折曲部と略同一とし、前面板７を背面から支持している。そして、前面板７と扉化粧板１２との境界部を確実に略密着させることが可能となる。
【００２１】
上記構成により、扉化粧板１２は発泡圧の影響を受けて変形することがなく、扉表面を構成する扉化粧板１２や前面板７等の各部品間の隙や段差を小さくすることができ、冷蔵庫の表面意匠を向上させることができる。また外部からの水滴の浸入も防止することができる。さらに、扉化粧板固定板１６に前面板を背面から支持するためのリブａ１７を設け、前面板７と扉化粧板１２との間に隙を発生させないことを特徴とするものである。この構成により、扉化粧板１２と前面板７はきわめて近接した位置で係止されることになり、段差や隙間のない良好な外観デザインを得ることができる。
【００２２】
また扉化粧板１２の表面に一体に貼り付けた化粧シートを備え、前記化粧シートは意匠印刷フィルムからなり、扉化粧板１２の成形時にインサート成形により扉化粧板の外表面における鈍角折曲部を含むほぼ平坦部分にのみ配置させることにより、可能なデザインの選択肢が増え、冷蔵庫扉の意匠的効果が大きくなるとともに、意匠印刷フィルムの交換を行うのみによる複数色の機種展開が可能となるため、コストの低減を図ることができる。
【００２３】
また、扉化粧板１２の左右側部には上下方向に複数のリブｂ１８を形成し、扉化粧板固定板１６の左右側部には上下方向に複数のリブｃ１９を形成し、扉化粧板１２のリブｂ１８と扉化粧板固定板１６のリブｃ１９を上下方向からスライドさせて挿入することにより、それぞれのリブによって扉化粧板１２の前後方向の位置を規制することができる。この構成により、扉化粧板１２と前面板７との近接による隙間のさらなる最小化が可能となり隙間のない斬新な外観デザインを得ることができる。
【００２４】
さらに、扉化粧板１２の側面にツメ２０を設け、扉化粧板固定板１６の側面にリブｄ２１を設け、ツメ２０とリブｄ２１を対向して係止させることにより、扉化粧板固定板１６に取り付けられた扉化粧板１２の上下方向の位置を規制することができる。この構成により、部品組立て時の取付け誤差や部品単品のバラツキにより生じる歪みやズレの抑制を図り、良好な外観デザインを得ることができる。
【００２５】
上記扉体の組立ての順序としては、扉キャップ下９と扉化粧板固定板１６と前面板７とを組立て、その後に扉化粧板１２をスライドさせて挿入し、扉化粧板１２が正規の位置に固定された後、扉キャップ上８を取り付け固定する。
【００２６】
また、引出し扉に設けた扉化粧板１２と、その引出し扉の上部に位置する冷蔵室１に設けられた扉化粧板とは上下一直線のデザインとして構成されることにより、デザインの効果をより大きく発揮することになり、意匠的効果をさらに大きくすることができる。
【００２７】
また、扉化粧板固定板１６に設けられた穴２３に、扉キャップ上８に設けたリブｅ２２を引っ掛けることにより、扉化粧板固定板１６と扉キャップ上８の固定時のそれぞれの位置関係を規制することができ、歪みやズレの抑制を図り、良好な外観デザインを得ることができる。この構成については、扉化粧板固定板１６と扉キャップ下９との関係においても同様に用いることができる。
【産業上の利用可能性】
【００２８】
以上のように、本発明にかかる冷蔵庫は、冷蔵庫扉に係り、特に前面に扉化粧板を設けた冷蔵庫扉の構成に関するものである。冷蔵庫以外の冷蔵及び冷凍機能を持つ貯蔵庫の扉の用途にも適用できる。
【図面の簡単な説明】
【００２９】
【図１】本発明の実施の形態１における冷蔵庫の正面図
【図２】同実施の形態の冷蔵庫の図１のＡ−Ａ線断面図
【図３】同実施の形態の冷蔵庫の引出し扉の斜視図
【図４】同実施の形態の冷蔵庫の引出し扉の図３の断面図
【図５】同実施の形態の冷蔵庫扉の扉化粧板取付け時の右斜視図
【図６】同実施の形態の冷蔵庫扉の扉化粧板取付け時の左斜視図
【図７】同実施の形態の冷蔵庫扉の扉化粧板取付け時の平面断面図
【図８】同実施の形態の冷蔵庫扉の扉化粧板取付け時の図７のＢ−Ｂ線正面断面図
【図９】従来の冷蔵庫の冷蔵庫扉の扉化粧板取付けを示す斜視図
【符号の説明】
【００３０】
７    前面板
８    扉キャップ上
９    扉キャップ下
１０  扉内板
１１  リブ
１２  扉化粧板
１３  引出扉
１４  断熱材
１６  扉化粧板固定板
１７  リブａ
１８  リブｂ
１９  リブｃ
２０  ツメ
２１  リブｄ
２２  リブｅ
【図１】
2006329549.tif 000003
【図２】
2006329549.tif 000004
【図３】
2006329549.tif 000005
【図４】
2006329549.tif 000006
【図５】
2006329549.tif 000007
【図６】
2006329549.tif 000008
【図７】
2006329549.tif 000009
【図８】
2006329549.tif 000010
【図９】
2006329549.tif 000011